Podtech/llm-jp-corpus-v4-ja_patent huggingface dataset:
(57)【要約】      （修正有）【課題】船底、アンカー、養殖魚網など長期間海中に置かれるものには数多くの海洋生物（各種貝類及び藻類など）が付着し、これらは本来の機能を阻害するものである。したがってこれら海洋生物の付着をより確実に防止する塗料を提供する。【解決手段】船底．アンカー．養殖魚網など海中設置構造物に塗布する海洋生物付着防止塗料として、水酸化ナトリウム、水酸化カルシウム、水酸化カリウム、水酸化リチウム、炭酸ナトリウム、珪酸ナトリウム、アンモニア、水酸化アルミニウム、水酸化マグネシウム、水酸化鉄（ＩＩＩ）、水酸化バリウム、水酸化銅（ＩＩ）、メチルアミン、ジメチルアミン、トリメチルアミン、アニリンからなる群より選ばれた１種類もしくは２種類以上を含む海洋生物付着防止塗料。さらに上記の構成物質の分散安定性向上のため界面活性剤を含有する海洋生物付着防止塗料。【選択図】  なし【特許請求の範囲】
【請求項１】
水酸化ナトリウム、水酸化カルシウム、水酸化カリウム、水酸化リチウム、炭酸ナトリウム、珪酸ナトリウム、アンモニア、水酸化アルミニウム、水酸化マグネシウム、水酸化鉄（ＩＩＩ）、水酸化バリウム、水酸化銅（ＩＩ）、メチルアミン、ジメチルアミン、トリメチルアミン、アニリンからなる群より選ばれた１種類もしくは２種類以上を含む海洋生物付着防止塗料。
【請求項２】
ノニオン系界面活性剤、アニオン系界面活性剤および両性界面活性剤の中から選ばれた少なくとも１種類以上の界面活性剤を含む請求項１記載の海洋生物付着防止塗料。
【発明の詳細な説明】
【発明の詳細な説明】
【発明の属する技能分野】
【０００１】  本発明は、長期間海中に置かれるものに数多く付着する有害な海洋生物の付着を長期間確実に防止するための塗料に関する。
【背景技術】
【０００２】  船底、アンカー、養殖魚網など長期間海中に置かれるものには数多くの海洋生物（フジツボ、ムラサキイガイ、カキなど）が付着し本来の機能を阻害する。このため従来はＴＢＴに代表される有機スズ化合物等の金属化合物を主とした忌避剤を配合した塗料の塗布など付着抑制の手段を講じている。しかしこれらの物質は毒性が強く海洋汚染の原因となることから使用が禁止されつつあるため多くの代替物質が提案され、かつ実用化されてはいるものの付着防止効果が完全ではなく、多くの費用と時間をかけ定期的な除去作業及び塗り替え作業が行われているのが現状である。
【発明が解決しようとする課題】
【０００３】  本発明により、海洋生物の付着をより長期間にわたって防止し、海中設置物（船底、アンカー、養殖魚網等）の本来の機能を維持すると共に、付着物の除去作業及び塗り替え作業にかかる時間と費用を軽減することを課題とする。
【課題を解決するための手段】
【０００４】  本発明者らは、これらの課題を解決する方法として、各種物質を既存の船底塗料に添加し、ＦＲＰ板に塗布したテストピースを作成。このテストピースを海中に設置して海洋生物の付着防止効果を見た。
【０００５】  本発明者らは、表１に示した物質を既存の船底塗料にそれぞれ添加し、撹拌して十分分散させた塗料をＦＲＰ板に塗布し乾燥させた物をテストピースとした。
【表１】
2006117894.tif 000002
【０００６】  作成したテストピースを海中に吊るし海洋生物の付着状態を観察した。なおテスト場所は、大阪府泉大津マリーナ桟橋にて常に海水中に没するように吊り下げ設置して行った。その結果、添加剤１（わさびエキス）及び添加剤５（消石灰（水酸化カルシウム））以外のものについてはフジツボ、ムラサキイガイなどの貝類やイソギンチャク等の付着と共に海洋小生物の生息が見られたが、添加剤１及び添加剤５については海洋生物の付着はまったく認められず、付着防止効果が認められた。
【０００７】  研究者らは、さらに確認のため各添加剤についてそれぞれ添加量の異なる塗料によりテストピースを作成した。これらのテストピースを前回同様に桟橋から海水中に吊り下げ設置し、海洋生物の付着状態を観察した。
約１年間海水中に設置した後、海洋生物の付着状態を確認した結果を表２及び参考写真１に示す。
【表２】
2006117894.tif 000003
この結果から、予備試験と同様に添加剤１（わさびエキス）及び添加剤５（消石灰（水酸化カルシウム））について海洋生物の付着防止効果が認められた。しかしながら、わさびエキスについては部分的に海洋生物の付着が認められるため付着防止効果が限界にきているものと考えられる。それに対し、消石灰（水酸化カルシウム）については海洋生物の付着は認められないことから、十分海洋生物付着防止剤としての性能を有していると言える。参考写真２にブランク及び消石灰（水酸化カルシウム）の比較（拡大写真）を示す。
【０００８】  この結果から、船底塗料に添加した消石灰（水酸化カルシウム）は塗料中では溶解せず微粒子状で存在し、加水分解型の塗料である船底塗料の塗装表面が加水分解により剥離し、消石灰（水酸化カルシウム）が表面に出たとき海水に溶解し周辺をアルカリ性になることにより忌避効果を発揮し、海洋生物の付着効果が発揮されるものと考える。したがって同様のアルカリ性剤（水酸化ナトリウム、水酸化カリウム、水酸化リチウム、炭酸ナトリウム、珪酸ナトリウム、アンモニア、水酸化アルミニウム、水酸化マグネシウム、水酸化鉄（ＩＩＩ）、水酸化バリウム、水酸化銅（ＩＩ）、メチルアミン、ジメチルアミン、トリメチルアミン、アニリン）においても海洋生物の付着防止効果を有するものと考える。
【０００９】  この発明で使用されるアルカリ性剤の使用量は０．５〜５０．０重量％であり、好ましくは３．０〜２０．０重量％である。アルカリ性剤の使用量が０．５重量％以下である場合、海洋生物の付着効果がほとんど認められず、また５０．０重量％以上である場合塗料中の添加剤の分散性や、塗布性能や密着性等、塗料としての性能が阻害される。このことから塗料製造時の作業性、塗料としての性能、海洋生物付着防止効果などを考慮に入れた場合より好ましくは３．０〜２０．０重量％である。
さらに、塗料中に紛体をより安定的に分散させるため、請求項２に示すようにノニオン系界面活性剤、アニオン系界面活性剤および両性界面活性剤の中から選ばれた少なくとも１種類以上の界面活性剤を使用することも考えられる。
【発明の効果】
本発明に係る海洋生物付着防止塗料においては、予備試験、本試験ともに実際の環境に近い状態でテストを実施した中で、十分に満足できる海洋生物付着効果が認められた。既存の船底塗料と比較しても本発明にかかわる添加剤を添加することにより本来の海洋生物付着防止効果を格段に長期間発揮させことができ、これにより海中設置物（船底、アンカー、養殖魚網等）の本来の機能を維持すると共に、付着物の除去作業及び塗り替え作業にかかる時間と費用を軽減することが可能となる。
(57)【要約】      （修正有）【課題】ゲルマニウム及びトルマリンのもつ健康効果や動植物活性効果を期待でき、かつ、取り扱い容易な形態の物品を提供する。【解決手段】ゲルマニウムとトルマリンの原石を粉末にし、青磁用粘土と混合し、それを２回以上加熱処理することで容器類１や板版類２に加工する。【選択図】なし【特許請求の範囲】
【請求項１】
青磁用粘土と、ゲルマニウム原石の粉末及び、トルマリン原石の粉末を混合し、２回以上加熱処理の原材料で作成された容器類。
【請求項２】
青磁用粘土と、ゲルマニウム原石の粉末及び、トルマリン原石の粉末を混合し、２回以上過熱処理の原材料で作成された板版類。
【発明の詳細な説明】
【発明の詳細な説明】
【技術分野】
【０００１】本発明は、青磁用粘土と、ゲルマニウム原石の粉末及び、トルマリン原石の粉末を混合し、２回以上過熱処理の原材料で作成された容器類１と、同原材料で作成された、板版類２との２種類の発明品を応用し、健康効果等を期待できる発明である。例えば、日常良く使われるマグカップや、花瓶や風呂釜等自体を本発明容器類１で作成したり、既製品の容器類３の、例えば、ガラスの水槽に本発明板版類２を底面に付けたり、本発明容器類１自体に更に本発明板版類２を貼り付けたりする事により、健康効果等や動植物活性効果等を期待しょうとするものである。又、容器類１と板版類２のそれぞれの単独使用によっても同効果等を得られる。
【背景技術】
【０００２】従来は、カップや花瓶、風呂釜等の底に、ゲルマニウム原石やトルマリン原石を沈めたりして使用していた。【０００３】先行技術調査では、該当技術はなかった。
【発明が解決しようとする課題】
【０００４】ゲルマニウム等の原石を既製品のカップに沈めての飲用等は、簡便ではあるが、衛生面や重量感に加え、使用中に砂状に砕け易く、危険性が高かった。又、風呂釜に、敷き詰める事も不可能であり、冷蔵庫内に原石を入れておくと子供が、持ち出したりし、原石のままの使用は、目的を達成し難かった。
【課題を解決するための手段】
【０００５】ゲルマニウム原石を粉砕した材料と、トルマリン原石を粉砕した材料とを青磁用粘土と混合し、２回以上の加熱処理の専門的工程を経て、各種容器類１及び、板版類２の二種類に加工していく。
【発明を実施するための最良の形態】
【０００６】以下、本発明の実施の形態について説明する。
容器類１、板版類２、既製品容器類３の、以下の組み合わせを実施例とする
（イ）容器類１の花瓶
（ロ）板板類２のタイル状製品や円形製品
（ハ）既製品容器類３のガラスの水槽
（ニ）（イ）＋（ロ）
（ホ）（ハ）＋（ロ）
実施例については、容器類１及び、板版類２共に、あくまで代表例である。又、本発明の容器類１の内側は素焼き等状態にし、外側は美観や保護の為に模様又は、色彩等を施す加工をする。本発明の板版類２は用途に応じ、全体を素焼等、又は、一部分を素焼き等の加工で対応していく。又、板版類２の形状に関しては、四角型や円型等を、１及び３の容器類の形状に合わせ加工可能とする。尚、容器類１と板版類２共、それぞれの単独使用も出来る。
【発明の効果】
【０００７】本発明品の板版類を、既製品の容器類に組み合わせる事により、陶器の容器類だけでなく、他の材質の容器類にも応用する事が出来る為、より高い健康効果を期待出来、幅広い応用が可能になる。又、本発明品の容器類１と、本発明品の板版類２との、製造方法においても、ゲルマニウムと、トルマリン原石を粉末にする事により、青磁用粘土と混合し易くなり、２回以上の加熱処理する事で、混合性能が増す為、安定した原材料として容器類１や板版類２に加工出来、その為、危険性や衛生面での懸念も不要となる。又、容器類１と、板版類２との単独使用の中で、板版類２については、冷蔵庫内に入れる等の新用途が可能になる。
【図面の簡単な説明】
【図１】本発明の正面図である。
【図２】本発明の実施例を示す断面図である。
【符号の説明】
１  本発明品の容器類
２  本発明品の板版類
３  既成品の容器類
【図１】
2006117499.tif 000002
【図２】
2006117499.tif 000003
(57)【要約】【課題】  300℃以下の温度で結晶性のシリコンナノワイヤーが生成するシリコンナノワイヤーの製造方法を提供すること。【解決手段】  シリコンと低融点の共晶合金を作る金属を触媒としてポリシランガスの熱分解によりシリコンナノワイヤーを生成させる。【選択図】          図２
2006117475.tif 000002
【特許請求の範囲】
【請求項１】
シリコンと低融点の共晶合金を作る金属を触媒としてポリシランガスの熱分解によりシリコンナノワイヤーを生成させることを特徴とするシリコンナノワイヤーの製造方法。
【請求項２】
触媒は、金、銀、鉄またはニッケルから選択されるいずれか１種である請求項１記載のシリコンナノワイヤーの製造方法。
【請求項３】
ポリシランガスがジシランガスである請求項１または２記載のシリコンナノワイヤーの製造方法。
【発明の詳細な説明】
【技術分野】
【０００１】
本願発明は、シリコンナノワイヤーの製造方法に関するものである。
【背景技術】
【０００２】
シリコンナノワイヤーの応用として、マイクロマシン用の素材、ナノサイズの半導体が考えられる。特に、半導体への応用では、リソグラフィー技術のように、回路に直接シリコンナノワイヤーが組み込まれるのが望ましい。そのためには、回路に損傷を与えないように、できるだけ低温でシリコンナノワイヤーが合成される必要がある。
【０００３】
従来、シリコンナノワイヤーの製造は、シリコンの溶融蒸発を利用した方法で行われているが、この方法では、基板温度は1000℃近い高温が必要とされる。これに対し、シランガスの熱分解を利用する気相化学反応を用い、さらに、Ａｕ、Ｆｅ、Ｎｉ粒子等の触媒を利用すると、基板温度が比較的低い温度でシリコンナノワイヤーが作製される。
【０００４】
最近、モノシラン（ＳｉＨ4）を用いて500℃でシリコンナノワイヤーの合成が行われている（たとえば、非特許文献１参照）。
【非特許文献１】N.Sakulchaicharoen et al., Chemical Physics letters, 377,(2003)377
【発明の開示】
【発明が解決しようとする課題】
【０００５】
しかしながら、半導体基板回路に熱損傷を与えないためには、さらに低温でのシリコンナノワイヤーの合成が望まれる。
【０００６】
本願発明は、このような事情に鑑みてなされたものであり、300℃以下の温度で結晶性
のシリコンナノワイヤーが生成するシリコンナノワイヤーの製造方法を提供することを解決すべき課題としている。
【課題を解決するための手段】
【０００７】
本願発明は、上記の課題を解決するために、第１には、シリコンと低融点の共晶合金を作る金属を触媒としてポリシランガスの熱分解によりシリコンナノワイヤーを生成させることを特徴としている。
【０００８】
本願発明は、第２には、触媒は、金、銀、鉄またはニッケルから選択されるいずれか１種であることを特徴としている。
【０００９】
本願発明は、第３には、ポリシランガスがジシランガスであることを特徴としている。
【発明の効果】
【００１０】
本願発明によれば、300℃以下の温度で結晶性のシリコンナノワイヤーを合成すること
ができる。このため、半導体回路基板に熱損傷を与えずに、半導体回路に直接シリコンナノワイヤーを組み込むことが可能となる。
【発明を実施するための最良の形態】
【００１１】
以下、実施例を示しつつ、本願発明のシリコンナノワイヤーの製造方法についてさらに詳しく説明する。
【００１２】
これまでに報告されているシランの生成熱、エントロピーおよび比熱データに基づいて、シリコンが生成する分解生成自由エネルギーを計算し、温度の関数として図１に示した。
【００１３】
いずれのシランガスも、分解生成自由エネルギーは室温以上では負の値をとる。一方、モノシラン（ＳｉＨ4）に比べてジシラン（Ｓｉ2Ｈ6）、トリシラン（Ｓｉ3Ｈ8）のポリ
シランの分解生成自由エネルギーは負側に倍以上大きく、室温付近でも十分に負の値をとる。このことから、ポリシランは、低温でも分解しやすいと理解され、モノシランに比べてより低温でシリコンが生成すると予測される。
【００１４】
ナノワイヤーとして成長させるためには、シリコンと低融点の共晶合金を作る金属が触媒として必要であり、そのような金属として、金、銀、鉄、ニッケル等が例示される。触媒の形態としては、表面積が大きくなるように、粒子状であることが好ましい。
【実施例】
【００１５】
シリコン基板上に金をスパッタにより蒸着し、この基板を反応容器内に配置し、反応容器内を１×１０-6Torrの真空にした。次いで、基板を296℃まで加熱し、温度が一定とな
ったところで、反応容器内にＨ2ガスで１０％に希釈したジシラン（Ｓｉ2Ｈ6）ガスを５Torrまで導入し、この状態に５分間保持した。
【００１６】
基板表面を走査型電子顕微鏡で観察すると、図２に示したように、ナノワイヤーが形成されているのが確認された。ナノワイヤーは、直径が約５０nm、長さが最長で４μｍであった。Ｘ線分析の結果、表１に示したように、ナノワイヤー本体はほぼシリコンから形成されていた。300℃以下の低温でシリコンナノワイヤーが基板上に形成されたことが確認
された。
【００１７】
【表１】
2006117475.tif 000003
【００１８】
また、透過型電子顕微鏡で観察した結果、図３に示したように、シリコンナノワイヤーは、シリコンの単結晶であることが確認された。
【００１９】
もちろん、本願発明は、以上の実施例によって限定されるものではない。ポリシランガスの種類、反応条件等の細部については様々な態様が可能である。
【産業上の利用可能性】
【００２０】
以上詳しく説明したとおり、本願発明によって、300℃以下の温度で結晶性のシリコン
ナノワイヤーを合成することが可能となる。
【図面の簡単な説明】
【００２１】
【図１】シランガスのシリコン生成熱分解自由エネルギーの温度との関係を示したグラフである。
【図２】実施例で形成したナノワイヤーの走査型電子顕微鏡像である。
【図３】実施例で形成したナノワイヤーの透過型電子顕微鏡像である。
【図１】
2006117475.tif 000004
【図２】
2006117475.tif 000005
【図３】
2006117475.tif 000006
(57)【要約】【課題】抗癌剤に起因する副作用として発現する健康障害を予防する有効な薬剤を提供する。【解決手段】抗酸化金属を含有する酵母を有効成分とする抗癌剤障害の予防剤、具体的には、Ｍｎ、Ｚｎ、Ｆｅ、ＣｕおよびＳｅの少なくとも１種を含有するサッカロマイセスセレビジエ酵母を有効成分とする抗癌剤障害の予防剤。【選択図】なし【特許請求の範囲】
【請求項１】
抗酸化金属を含有する酵母を有効成分とする抗癌剤障害の予防剤。
【請求項２】
抗酸化金属を含有する酵母が、Ｍｎ、Ｚｎ、Ｆｅ、ＣｕおよびＳｅの少なくとも１種を含有するサッカロマイセスセレビジエ酵母である請求項１記載の抗癌剤障害の予防剤。
【発明の詳細な説明】
【技術分野】
【０００１】
本発明は、抗癌剤の投与に起因する副作用として発現する健康障害の予防（抑制、緩和）に有効な薬剤に関する。
【背景技術】
【０００２】
癌の抗癌剤治療を受けている患者は副作用による嘔吐や下痢などの健康障害に苦しんでいるのが実状である。抗癌剤治療においては、副作用を抑制するために投与量を制限している。それでも抗癌剤の副作用である健康障害を効果的に予防する薬剤の開発は緊急の研究課題である。また、現在の抗癌剤治療における抗癌剤の最大投与量は副作用によって生じる健康障害によって制限されている。したがって、抗癌剤治療における副作用を抑制することが可能になれば、抗癌剤の投与量を増やすことができることになり、抗癌剤による癌の治癒率は向上すると考えられる。
【０００３】
現在、抗癌剤の副作用を効果的に抑制する予防薬剤は開発されておらず、止瀉（吐き止め）剤などを投与する対症療法だけでは患者の苦痛を除くことができていないのが現状である。
【０００４】
本発明者らは、以前より、抗癌剤による癌治療の副作用である健康障害を効果的に抑制する薬剤を研究してクロマノール配糖体を開発し、これらの抑制剤の効果について発表している（２００３年の第９回日本癌治療増感研究会、京都）。
【０００５】
また、酵母、さらには金属含有酵母やその抽出物が、癌の治療や健康維持に有効であるとの特許出願もある（特許文献１、特許文献２、特許文献３、特許文献４）。しかしながら、これらの特許文献は抗癌剤による健康障害を予防するものではない。
【０００６】
【特許文献１】特開平９−７７６７４号公報
【特許文献２】特開平９−１２４４３８号公報
【特許文献３】特開２００３−１９８号公報
【特許文献４】特開２００３−６１６１８号公報
【発明の開示】
【発明が解決しようとする課題】
【０００７】
本発明は、抗癌剤に起因する副作用として発現する健康障害を予防する有効な薬剤を提供することにある。
【課題を解決するための手段】
【０００８】
本発明者らは、抗酸化金属として知られるセレン（Ｓｅ）を含有するサッカロマイセスセレビジエ酵母について研究を進めた結果、抗酸化金属含有酵母が癌の抗癌剤治療における健康障害を効果的に予防できることを見出し、本発明を完成するに至った。
【０００９】
すなわち本発明は、抗酸化金属を含有する酵母を有効成分とする抗癌剤障害の予防剤、具体的には、Ｍｎ、Ｚｎ、Ｆｅ、ＣｕおよびＳｅの少なくとも１種を含有するサッカロマイセスセレビジエ酵母を有効成分とする抗癌剤障害の予防剤に関する。
【００１０】
本発明で用いる特定の酵母による抗癌剤に起因する健康障害予防の機序については明らかでない部分もあるが、特定の抗酸化金属含有酵母が抗癌剤による肝臓の解毒機能の損傷の防護、あるいは抗癌剤によって発生するフリーラジカルに起因する細胞の損傷を効果的に防護しているものと考えられる。
【発明の効果】
【００１１】
本発明の抗癌剤障害予防剤を用いるときは、癌治療のための抗癌剤投与に起因する副作用として発現する健康障害（副作用）を効果的に予防することができる。
【発明を実施するための最良の形態】
【００１２】
本発明で用いるサッカロマイセスセレビジエ酵母は、パン酵母やビール酵母などとして、その発酵活性を利用して広くパン、ビール、ワイン、酒、味噌、醤油、納豆などの発酵に用いられており、日本人にはなじみ深い発酵食品にも含まれている。さらに抗酸化金属を含有するサッカロマイセスセレビジエ酵母は、健康食品添加物や化粧料の成分として広く市販されている安全な物質である。
【００１３】
本発明では、発酵させる目的で酵母を配合するものではないため、発酵活性を有するか否かは問わない。酵母の発酵活性を不活性化する方法としては、長時間、酸素中で放置して自然酸化する方法、１００℃程度の温度で数分間加熱する方法、放射線を照射する方法などが知られている。
【００１４】
抗酸化金属としては、Ｍｎ、Ｚｎ、Ｆｅ、ＣｕおよびＳｅの少なくとも１種があげられ、特に抗酸化活性が高いことからＳｅが好ましい。
【００１５】
抗酸化金属含有サッカロマイセスセレビジエ酵母は、抗酸化金属化合物を添加した培地でサッカロマイセスセレビジエ酵母を増殖して製造される。
【００１６】
製剤としては、粉剤、液剤、錠剤などがあり、薬理学的に許容し得る賦形剤を適宜使用して製剤化するが、紅茶に入れたレモンテイなどの清涼飲料として投与することもできる。
【００１７】
投与方法は、水溶液の経口投与で充分に有効であるが、静脈内投与などでもよい。
【００１８】
その投与量は、経口投与の場合は３００〜９００ｍｇ／ｋｇ体重、静脈内投与の場合は１００〜３００ｍｇ／ｋｇ体重である。
【００１９】
本発明は予防剤としての使用であるから、投与のタイミングとしては、抗癌剤の投与の３０分前までに投与することが望ましい。
【００２０】
本発明が対象とする抗癌剤は、シクロホスファミドやメルファランなどのアルキル剤、メトトレキサートやフルオロウラシルなどの代謝拮抗剤、マイトマイシンやアドリアマイシンなどの抗癌性抗生物質、ビンクリスチンやエトポシドなどの抗癌性植物由来物質、シスプラチンなどのＤＮＡ合成阻害剤のほか、ジェムザールやタキサン系の抗癌剤などであって、投与すると副作用を発現する細胞障害性の抗癌剤である。
【実施例】
【００２１】
つぎに実施例をあげて本発明を具体的に説明するが、本発明はこれらの実施例のみに限定されるものではない。
【００２２】
実施例１
８〜９週齢の雌性ＢＤＦ マウス（体重２０〜２２ｇ：１群１０匹）に、酵母懸濁液（０．３ｍｌ、７５０ｍｇ／ｋｇ体重）をマウスの腹腔に注入し、注入３０分後にシクロホスファミド（ＣＰＡ）（６００ｍｇ／ｋｇ体重）を腹腔に投与し、平均生存日数を調べた(対照群は０．５％のメチルセルローズを０．３ｍｌ/匹、腹腔に投与した)。また、ＣＰＡの投与量を変更（３６０ｍｇ／ｋｇ体重）した場合についても調べた。結果を表１に示す。
【００２３】
上記セレン酵母懸濁液は、０．２％のセレンを含有するサッカロマイセスセレビジエ酵母（以下、「セレン酵母」という）を生理食塩水に加えて５０ｍｇ／ｍｌ濃度とした懸濁液である。
【００２４】
【表１】
2006298878.tif 000002
【００２５】
実施例２
８〜９週齢の雌性ＢＤＦ マウス（体重２０〜２２ｇ：１群１０匹）に、セレン酵母懸濁液（０．３ｍｌ、７５０ｍｇ／ｋｇ体重）をマウスの腹腔に注入し、注入３０分後にシスプラチン（ＣＤＤＰ）（１２ｍｇ／ｋｇ体重）を腹腔に投与し、平均生存日数を調べた(対照群は０．５％のメチルセルローズを０．３ｍｌ/匹、腹腔に投与した)。結果を表２に示す。
【００２６】
【表２】
2006298878.tif 000003
(57)【要約】      （修正有）【課題】容器の大きさ、形に応じて、脚の位置、及びいざり止め金具の開き角度を調整することにより、広い範囲の容器に使用できるようにしたキャスター付きの容器台であり、容器の形状が変わっても、脚の角度、長さ、いざり止め金具の開き角度を調整し直すだけで再利用できる、キャスター付き容器台を提供する。【解決手段】キャスターを支えるための本体を、１枚の支持板１と４本の支持棒２とする。支持板の対角線上には、４本の細長い穴７をあけ、その４筋の穴を、位置、角度を調整して、１本の固定ネジ４により固定する支持棒との接合箇所とする。キャスターの付いた支持棒の先端上部には、開き角度を変えて固定できる、それぞれ１対になった容器のためのいざり止め金具３を付ける。【選択図】図１
2006298343.tif 000002
【特許請求の範囲】
【請求項１】
キャスターを支えるための本体を、１枚の支持板と４本の支持棒による構造とする。本体の中心部分となる支持板には、その中心に向かって４筋の細長い穴をあけ、それぞれ１本の固定ネジによる支持棒との接合部分とすると共に、支持棒の先端部分に取り付けたいざり止め金具を、開き角度を変えて固定できる構造としたことにより、大きさ、形の異なる広い範囲の容器に利用できるキャスター付き容器台。
【請求項２】
容器の外べりを、より確実に囲うために、それぞれ間隔をあけて１対とし、開き角度を変えて固定できる構造のいざり止め金具を付けた、請求項１の、大きさ、形の異なる広い範囲の容器に利用できるキャスター付き容器台。
【請求項３】
支持棒固定ネジの支持棒側の両脇に、固定ネジの固定する力を補うために、支持板を押えるかたちで支持棒固定補助ネジを設けた請求項１の、大きさ、形の異なる広い範囲の容器に利用できるキャスター付き容器台。
【発明の詳細な説明】
【技術分野】
【０００１】  本発明は、さまざまな場所で用途を変えて利用している、主にプラスチック容器類をのせて移動させるための台であり、大きさ、形の異なる広い範囲の容器に適合、使用することができるように、キャスターを支える本体を支持板と支持棒の２つにして、その接合箇所を、角度が変わり、伸縮できる構造とした容器台である。
【背景技術】
【０００２】  従来、容器の底に直接キャスターを取り付けた容器はあるが、大半のものはキャスターがないものである。方形や円形の構造物にキャスターの付いた台はあるが、それは特定の容器のための専用台である。
【発明の開示】
【発明が解決しようとする課題】
【０００３】  この容器に合うキャスター付き台があれば、床の掃除や移動も簡単で便利であると思っても、商品として売られていないのであきらめてしまうか、特別注文で作製しなければならないのが実状である。また、容器を更新したことにより、そのサイズが変わってしまい、仕方なく改めて台を作り直さなければならないといった問題点があった。
本発明は、以上の問題点を解決するために、容器の大きさ、形に応じて、台のサイズを変えることができるようにした容器台である。
【課題を解決するための手段】
【０００４】  キャスターを支えるための本体を、１枚の支持板と４本の支持棒とし、本体の中心部分となる支持板と支持棒の接合箇所を、支持棒の長さ、角度を変えて固定できる構造とする。また、支持棒の先端上部には、開き角度を変えて固定できる、それぞれ間隔を開けて１対になったいざり止め金具を設ける。
【発明の効果】
【０００５】  本発明を使用すれば、容器を別の形のものに交換しても、その容器のサイズに合わせて支持棒の角度、長さを調整すれば継続使用できるので便利であり、経済的である。
【発明を実施するための最良の形態】
【０００６】  以下、本発明の実施の形態を説明する。
（イ）キャスターを支えるための本体を、中心部分の支持板（１）と、４本の支持棒（２）に分ける。
（ロ）支持板（１）は、設定した荷重に耐えることのできる平板、あるいは板状に成型したものとする。
（ハ）支持板（１）は、容器の多くが矩形であることから、４隅を支持棒（２）の幅ほどに丸くするか切り落した、辺の長さが１対１．５位の方形のものとする。
（ニ）支持板（１）には、支持棒（２）を移動固定するための細長い穴を、中心部分に近い位置から４隅方向にあける。
（ホ）穴を利用して接合する支持棒固定ネジ（４）は設定荷重に十分耐えられる太さとし、ゆるみ止め効果の高い座金を使う。
（ヘ）支持棒（２）の、固定ネジ（４）のある位置の両脇には、支持板（１）を押さえて固定するための、先のとがった支持棒補助固定ネジ（５）を設ける。
（ト）支持棒（２）の上側先端に、角度を変えて固定できる、容器のいざり止め金具（３）を付ける。
（チ）いざり止め金具（３）の固定ネジ（５）部分には、効果の高いゆるみ止め座金を使用する。
本発明は以上の構成よりなる。
本発明を使用するときは、のせる容器が方形の場合には、いざり止め金具（３）を容器の４隅に合わせてから固定する。丸型容器は直角にクロスさせ、変形のものは、最も台が広くなって安定する位置にいざり止め金具を合わせて固定する。
【図面の簡単な説明】
【０００７】
【図１】本発明の斜視図
【図２】本発明の支持板平面図
【図３】本発明の固定ネジを解体して解りやすくした図
【図４】本発明を裏側から見た要部拡大図
【図５】本発明を正方形の容器に使用したときの平面参考図
【図６】本発明を円型の容器に使用したときの平面参考図
【符号の説明】
【０００８】（１）支持板  （２）支持棒  （３）いざり止め金具  （４）支持棒固定ネジ  （５）支持棒補助固定ネジ  （６）いざり止め金具固定ネジ  （７）キャスターナット
【図１】
2006298343.tif 000003
【図２】
2006298343.tif 000004
【図３】
2006298343.tif 000005
【図４】
2006298343.tif 000006
【図５】
2006298343.tif 000007
【図６】
2006298343.tif 000008
(57)【要約】      （修正有）【課題】  車両盗難防止には、高価な装置が多い。必要ではあっても、一般車にはなかなか取り付けるところまでいかない。価格が安く、盗難には手間がかかり、スキミングの出来ない「ローテク」な装置を提供する。【解決手段】外部から送信される２チャンネルのＩＤ電波信号とそのＩＤに一致した信号のみを受信する装置と、２系統の一致信号のアンドにより、最終信号を出力させ、その出力より各始動機器の電源回路をＯＮ−ＯＦＦさせて自転車を盗難から防ぐ。【選択図】  図２
2006298347.tif 000002
【特許請求の範囲】
【請求項１】
外部から送信される２チャンネルのＩＤ電波信号とそのＩＤに一致した信号のみを受信する装置とその受信した２チャンネルの信号を２系統に分けたプリセットカウンタ−にてそれぞれ一致した信号を検出し、２系統の一致信号のアンドにより、最終信号を出力させ、その出力より各始動機器の電源回路をＯＮ−ＯＦＦさせて自動車を盗難から防ぐ自動車用盗難防止装置。
【請求項２】
カウンタ−の設定値は外部から送信されている２チャンネルのＩＤ電波信号の送信時間の長短により自由にセットを変更できる自動車盗難防止装置。
【発明の詳細な説明】
【技術分野】
【０００１】  本発明は一般車両及び建設機械車両の盗難防止をはかった装置である。
【背景技術】
【０００２】  従来の自動車用盗難防止装置にはＥＣＵを停止させ、高度な電子技術でＩＤ化したものが多々ある。【０００３】  自動車盗難防止装置としてのパテントを調査したところエンジンキ−スイッチとセルモ−タ−をつなぐ配線に直列に常開接点を有するリレ−スイッチを配置し、エンジンキ−スイッチを壊して配線を直結してもセルモ−タ−が回転せず、エンジンは始動しない（特許文献１参照。）のものや可変コ−ドによりＥＣＵを開錠するイモビライザ−を設置し、このコ−ドが所定時間内に一致しないと運転が禁止される（特許文献２参照。）。またはオ−トマチック自動車のシフトスイッチとＡＴ制御回路を接続している６本の信号線の途中をスイッチユニットで入切させて発進できないようにする（特許文献３参照。）などその他ハイテクな盗難防止装置は多々見受けられる。
【特許文献１】    特許公開２００１−３４７９２５
【特許文献２】    特許公開平８−３０８７３
【特許文献３】    特許公開２００３−１１８５４０
【発明が解決しようとする課題】
【０００４】  上記のような盗難防止装置をより確実にするために暗証番号や配線上の工夫、さらに複雑で高度な技術を必要とし、価格も上昇の一途をたどる。
その高度な技術もさらに高度なスキミングにより開示され盗難は減少しない。
【０００５】  高級車においては盗難防止装置が多少、高価でもその効果は期待できるものであれば採用できるが近年、犯罪などに利用する盗難も増え普及商用車やファミリ−カ−でも数多く盗難にあっている。さらに建設現場における建設機械や車両も犯罪に使用される事も多くなり安価でスキミングなど、容易に盗難防止装置の解析が出来ないものが望まれる。
【発明の開示】
【課題を解決するための手段】
【０００６】  そもそも自動車の盗難を防止するためには自動車が走行できなければ良い。そのためには種々方法はあるがまずは、盗難防止装置が設置されていることが判別出来ないことが望ましい。【０００７】  車が故障していて走行できない、これがどこが悪いのか点検し、修理してなどの手順をふんで盗む者は少ない。まして高級車でなければ盗むことはリスクが大きく、結果的に盗まれにくい。【０００８】  そのためにはエンジンキ−を直結し、エンジンを始動する時、セルモ−タ−は動作する必要がある。【０００９】  さらに、この時ガソリン残量メ−タ−の針が零を指したままで停止しておれば盗むことをあきらめる公算は大きい。
【発明を解決するための手段】
【００１０】  本発明の装置は、外部から送信されるＩＤ電波信号とその受信装置及び受信信号により操作されるスイッチユニットから構成される。
【実施例】
【００１１】  本発明の実施例を図を用いて詳しく説明する。
図−１は本発明のＩＤ電波送信用の送信ユニットであり、図−２は本発明の受信ユニットである。
また図−３はその受信ユニットの出力信号を貰い、イグナイタ−やフエルメ−タ−の回路を開閉するスイッチユニットである。【００１２】  図−１に示すようにＩＤ電波送信の送信ユニットはこの装置固有のＩＤを持ち、図−２の受信ユニットと一対をなす。この送信機には２、３の二つの押し釦を配し、押し釦操作により自動車の始動を可、不可とコントロ−ルする。【００１３】  この送信機の２、と３の押し釦を長押し（５秒程度）すると受信機のプリセットカウンタ−の設定値を入力するコ−ドにセットされる。【００１４】  そこで２及び３のセット番号の数だけ押し釦を押し（１秒／１回）終了時に２、３を長押しすればプリセットが完了する。【００１５】  これにより受信ユニットは一致したＩＤ信号以外にその２及び３の押す回数によりあらかじめセットされた回数と一致を取って図−３のスイッチユニットに出力を出す。【００１６】  図−２の受信ユニットは図−１のＩＤ電波を受けるとＩＤ信号の一致を確認した後、２及び３の押し釦の回数をカウントし、それぞれの回数があらかじめセットされている回数と一致したのちその合成出力を６より出力する。【００１７】  図−３のスイッチユニットはその６の出力を受け、イグナイタ−及びフエルメ−タ−の開閉を行い自動車の走行可及び不可を決定ずける。
【発明の効果】
【００１８】  以上、述べたように本発明は高価なハイテクを駆使した装置でなく、安価で一般車両に取り付けて、最近増えてきた安易な盗難に対処し、個別ＩＤによる識別とロ−テクによるスキミング防止を図り、あたかも２ダイヤル式の金庫の用に２つの番号を合わせて回路の開閉を行いまた、エンジン始動のセルは正常に動作するため安易に故障個所が判別出来ない。そのため盗むことをあきらめる公算が高い装置である。
【００１９】  さらにプリセットカウンタ−の設定は常時変更が可能で他の人の使用後に変更し、安全を図ることができる。
【図面の簡単な説明】
【００２０】
【図１】  送信ユニット
【図２】  受信ユニット
【図３】  スイッチユニット
【符号の説明】
【００２１】１  送信ユニット
２  釦
３  釦
４  受信ユニット
５  受信
６  合成出力の出力
７  合成出力の入力
８  イグナイター
９  フェルメーター
【図１】
2006298347.tif 000003
【図２】
2006298347.tif 000004
【図３】
2006298347.tif 000005
(57)【要約】【課題】  従来、フロントガラスカバーは、夏の太陽光遮熱効果と冬の霜付き防止効果を得る目的で構成されている。  しかしながら冬の霜付きは左右のドアミラーにも及ぶので、その状態では該ミラーによる後方の安全確認がし難い面がある。【解決手段】  伸縮性生地を用いてフロントガラスカバー１を形成し、その周縁に吸着手段４と、左右のドアミラー５に引っ掛け被せるドアミラー袋３を設ける。【選択図】図１
2006298341.tif 000002
【特許請求の範囲】
【請求項１】
フロントガラス面よりやや広がる大きさの伸縮性生地を用いて成形したフロントガラスカバーの周辺縁にズレ防止の吸着手段と、左右にドアミラー袋を設けて構成した事を特徴とする自動車用フロントガラスカバー。
【発明の詳細な説明】
【技術分野】
【０００１】  本発明は、自動車のフロントガラスを覆って冬の霜付防止効果と夏の太陽光遮熱効果を得るフロントガラスカバーに関する。
【背景技術】
【０００２】  夏の太陽光遮熱と冬の霜付きを防ぐ目的のフロントガラスカバーは、装着において、そのカバー周縁に吸盤や磁石を設けてフロントガラス周辺の塗装面に吸着固定するようにしたものが複数公開されている。
【特許文献１】  実開平０４−  ３８２５
【発明の開示】
【発明が解決しようとする課題】
【０００３】  解決しようとする問題点は、これまでのフロントガラスカバーは、夏の太陽光遮熱効果と冬の霜付き防止効果を得る目的で構成されている。
しかしながら冬の霜付きは左右のドアミラーにも及ぶので、その状態では該ミラーによる後方の安全確認がし難い面がある。
【課題を解決するための手段】
【０００４】  課題を解決する本発明の手段は、  フロントガラス面よりやや広がる大きさの伸縮性生地を用いてフロントガラスカバーを成形し、周辺縁にズレ防止の吸着手段と、左右両ドアミラーに引っ掛け被せるドアミラー袋を設ける。
【発明の効果】
【０００５】  本発明のフロントガラスカバーは、左右のドアミラーにミラー袋を被せ引っ張り合わせて装着するので着脱が簡単で着装は強固になる。
【発明を実施するための最良の形態】
【０００６】  フロントガラスと粗同じ大きさの伸縮性を有する生地を用いてフロントガラスカバーを成形し、周辺縁に吸盤若しくは磁石を用いた吸着手段と、左右の両側にドアミラーに引っ掛け被せるドアミラー袋を設ける。
【実施例１】
【０００７】  図１は本発明の１実施例の正面図であり、１はフロントガラスカバーである。
フロントガラスカバー１は、伸縮性を有する生地を用いて構成し、その周縁２側に吸着手段４と、左右の両端にドアミラー袋３を設ける。【０００８】  図１において２はフロントガラスカバー周縁である。
フロントガラスカバー周縁２に設けた吸着手段４は、該フロントガラスカバーの周縁２をフロントガラスの周囲に固着させる。【０００９】  ３はドアミラー袋である。
ドアミラー袋３は、フロントガラスカバー１左右のドアミラー５が位置する部位に設け、該ドアミラー５に引っ掛け被せて該フロントガラスカバー１を固定させる。【００１０】  ４は吸着手段である。
吸着手段４はフロントガラスカバー１の周縁に設け、フロントガラス周囲に吸着して該フロントガラスカバー１の周縁を固定させる。【００１１】  図２は本発明の装着状態を示す１実施例の斜視図（一部透視図）である。
図２において、１はフロントガラスカバーであり、２はフロントガラスカバー周縁である。
３はドアミラー袋で、４は吸着手段である。
５はドアミラーで、後方左右の安全を確認する。
ドアミラー５に、フロントガラスカバー１の左右に設けたドアミラー袋３を掛け被せて左右に引っぱり合わせ該フロントガラスカバー１の主要部分を固定する。【００１２】  ６はルーフ前部である。
ルーフ前部６に、フロントガラスカバー１の周縁に設けた吸着手段４を吸着させてフロントガラスカバー１の周縁を固定する。
【産業上の利用可能性】
【００１３】  本発明のフロントガラスカバーは、夏の熱波、冬の霜付きを手軽に防げ、その着脱がとても簡単であり、伸縮性を有するので比較的小さめであり、コンパクトに収納できる。
【図面の簡単な説明】
【００１４】
【図１】本発明の実施方法を示した説明図である。（実施例１）
【図２】本発明の実施方法を示した説明図である。（実施例１）
【符号の説明】
【００１５】    １  フロントガラスカバー
２  フロントガラスカバー周縁
３  ドアミラー袋
４  吸着手段
５  ドアミラー
６  ルーフ前部
【図１】
2006298341.tif 000003
【図２】
2006298341.tif 000004
(57)【要約】【課題】従来のタイヤやホイルの洗浄は水で洗いて、タイヤ・ホイルワクスを塗る様にしている。コストも高いし、手間も掛かります、しかも効果は二、三週間で長く続きません、そういう悩みから解脱して、又は、自動車にバリエーションをつけて、躍動感を生み出す装置を作成する。【解決手段】  本発明は、自動車フェンターに取り付ける特製ブラシで走行中タイヤの回転を利用して、自動車タイヤ・ホイルクを自動的にクリーニングをする装置です。しかも、特製ブラシの毛は天然ゴムなど柔らかい素材で作られているので、タイヤとホイルに優しいから、傷つけることがない。コストも低いし、手間も掛かりません、効果は付けている以上ずっと発揮します。簡単、綺麗、長持ちすることを目的となっており。【選択図】    図１
2006298342.tif 000002
【特許請求の範囲】
【請求項１】
自動車フェンターに取り付ける走行中タイヤの回転を利用して、自動車タイヤ・ホイルのクリーニング装置
【発明の詳細な説明】
【発明の詳細な説明】
【技術分野】
【０００１】  本発明は、自動車フェンターに取り付けるクリーニング装置に関する
【背景技術】
【０００２】  従来はタイヤやホイルを水で洗いて、タイヤ・ホイルワクスを塗る様にしている。
【発明が解決しようとする課題】
【０００３】  従来はタイヤやホイルの洗浄は水で洗いて、タイヤ・ホイルワクスを塗る様にしている。コストも高いし、手間も掛かります、しかも効果は二、三週間で長く続きませんという問題点がありました。
【０００４】  本発明は、自動車フェンターに取り付けるゴム製ブラシで走行中タイヤの回転を利用して、自動車タイヤ・ホイルクを自動的にクリーニングをする装置です。しかも、ゴム製ブラシの毛は天然ゴムなど柔らかい素材で作られているので、タイヤとホイルに優しいから、傷つけることがない。コストも低いし、手間も掛かりません、効果は付けている以上ずっと発揮します。簡単、綺麗、長持ちすることを目的となっており。
【課題を解決するための手段】
【０００５】  上記目的を達成するために、本発明の自動車フェンターに取り付けるゴム製ブラシが天然ゴムで作られている、又は回転できるように設けています。
【発明を実施するための最良の形態】
【０００６】  図１において、自動車フェンターに装着器１で固定している実施例です。また回転ブラシ５を設けています。
【発明の効果】
【０００７】  本発明は、以上説明したように構成されていて、以下に記載されるような効果を表す。
【０００８】  本発明は、自動車フェンターに取り付けるゴム製ブラシで走行中タイヤの回転を利用して、自動車タイヤ・ホイルクを自動的にクリーニングをする装置です。しかも、ゴム製ブラシの毛は天然ゴムなど柔らかい素材で作られているので、タイヤとホイルに優しいから、傷つけることがない。コストも低いし、手間も掛かりません、効果は付けている以上ずっと発揮します。簡単、綺麗、長持ちすることを目的となっており。
【０００９】  本発明のゴム製ブラシの毛はいろいろの色に変えて、自動車にバリエーションをつけることができる、又は、自動車が走る時に風を受けて、漂う様子は躍動感を生み出すことができる。
【図面の簡単な説明】
【００１０】
【図１】  自動車タイヤ・ホイルのクリーニング装置の側断面図である。
【図２】  自動車タイヤ・ホイルのクリーニング装置の側面図である。
【符号の説明】
１．装着器
２．調整ネジ
３．ゴム製ブラシの毛
４．回転部分
５．回転ブラシ
６．クッションゴム
７．自動車フェンター
８．自動車のタイヤとホイル
【図１】
2006298342.tif 000003
【図２】
2006298342.tif 000004
(57)【要約】      （修正有）【課題】    タイヤをパンクしにくいチタンのタイヤにする。【解決手段】    チタン金属の軽くて強く、耐食性・弾力性・加工性に富むチタンをゴムで内包したパンクしにくいタイヤ。【選択図】    図１
2006298345.tif 000002
【特許請求の範囲】
【請求項１】
ゴムでチタンを内包したチタンタイヤ
【発明の詳細な説明】
【発明の詳細な説明】
本発明はチタンをゴムで内包したタイヤである従来タイヤは、いろいろな製作方法を用いて丈夫なタイヤを作ってきたが固い突起物等によるパンクが避けられなかった。又、パンク・タイヤの細かい破損箇所も直ぐには分からなかった。本発明は、チタン金属の特長である軽量・強硬・耐食性・弾力性・加工性等に富むチタンをゴムで内包したパンクしにくいタイヤである。当チタン・タイヤの利点は細かな破損箇所等の発見が、速、レントゲン撮影検査を用いて分かり、又、耐食性により使用済みタイヤのチタン部分を取り出して再生利用できることが便利である。
【図面の簡単な説明】
【図１】ゴムとチタンのタイヤの断面図と斜視図である。
【符号の説明】
１はゴム      ２はチタン
【図１】
2006298345.tif 000003
(57)【要約】【課題】小型飛行機はその性質、構造上、繋留時の横風、背風には非常に弱く、常に破損や転覆などの危険がつき纏い、気象変化や予報等で風向きが変わる都度、昼夜を問わず、風に正対する様、人力により機首方位を風上に常時変換しなければ安全を保つ事が出来ない。【解決手段】地盤設置基礎部と軽くスムーズに回転する上部回転円盤を組み合わせ、その円盤上に折りたたみ式登坂板から小型飛行機を載せ、車輪ガードに３輪とも固定、更に円盤上のフックと飛行機の繋留かんをロープで固定する。然し、風向風速計の様に、常にクラクラ小刻みに向きを変え、飛行機が常時ぐらぐら揺れては機体の保守は勿論、周囲の安全上好ましくないので、図５の風向風速感知自動ブレーキ開閉装置が作動する事により、小型飛行機が強風時、スムーズに風に正対維持が確保され、小型飛行機を管理する者の最も悩みである管理労力の著しい軽減を図る事ができる装置である。【選択図】図５
2006298344.tif 000002
【特許請求の範囲】
【請求項１】
地盤設置基礎部と軽くスムーズに回転する上部回転円盤を組み合わせ、その円盤上に折りたたみ式登坂板から小型飛行機を載せ、車輪ガードに３輪とも固定、更に円盤上のフックと飛行機の繋留かんをロープで固定し、風向風速感知自動ブレーキ開閉装置が作動する事により、小型飛行機が強風時、スムーズに風に正対維持が確保され、最も安全な繋留と、管理労力の著しい軽減を図る事ができる装置である。
【発明の詳細な説明】
【技術分野】
【０００１】  この発明は、空港などの広場に駐機される小型飛行機が、強風時常に機首が風に正対し、最良の状態で駐機繋留出来る装置である。
【発明の開示】
【発明が解決しようとする課題】
【０００２】  小型飛行機はその性質、構造上、繋留時の横風、背風には非常に弱く、常に破損や転覆などの危険がつき纏い、気象変化や予報等で風向きが変わる都度、昼夜を問わず、風に正対する様、人力により機首方位を風上に常時変換しなければ安全を保つ事が出来ない。
これが小型飛行機を管理する者の最大の悩みである。
【課題を解決するための手段】
【０００３】  図１の基礎一体円周レールを駐機場の地盤に水平に設置し、その上に３６０度回転する円盤、図２を組み込み、図２の７の折りたたみ式登坂板から小型飛行機を載せ、３車輪全てが図２の２及び５のタイヤガードに納まり、主輪を図２の６のロック掛け金で固定する。更に円盤に装備された図２の４のロープフックと飛行機の繋留かんをロープで固定する。
飛行機には垂直尾翼があるため、風を感じれば、風向風速計と同じ様に常に風に正対しようとする機構になっているので、この機構を応用した。
然し、風向風速計の様に、常にクラクラ小刻みに向きを変え、飛行機が常時ぐらぐら揺れては、機体の保守は勿論、周囲の安全上好ましくないので、この発明の最も主眼とする図５の風向風速感知自動ブレーキ開閉装置を図２の１に取り付け、ブレーキパット、図５の１９を図１の基礎一体円周レールに押圧し制御することにより、あるレベル以上の風速を感じるとスムーズに風に正対する機能を得た。これにより、小型飛行機を管理する者の最も悩みである管理労力を著しく軽減した。
【発明を実施するための説明】
【０００４】  図５の風向風速感知自動ブレーキ開閉装置は、弱風時は図１の基礎一体円周レールに、図５の１９のブレーキパットを押圧し、図２の回転円盤を静止状態に保ち、調整設定したレベル以上の風速になった時、風を受けた図７のポール先端のプラスチック球が風下方向にポールを傾かせる事により、図５の１０のポール垂直保持ブレーキ開閉座金が図５の９のポール垂直保持、感風圧調整スプリングの一方を押し上げ、図５の１６の押圧ブレーキシャフトを引き上げて、ブレーキを解除し、円盤がフリーとなり、飛行機が垂直尾翼の働きによって円盤と共に風に正対する。
【０００５】  図５の１７のスプリングによるブレーキパット圧はその機種、また必要に応じ、図５の１３−１４のスプリング圧調整ロック機構により、強弱調整自在とした。
更に図５の１７のスプリングによるパット圧のロスを防ぐため、下部ローラを取り付けた。
ブレーキパット圧は８キログラム〜１５キログラムと設定した。
【０００８】  この、小型飛行機、風向風速感知自動方向変換繋留装置、の使用限界は飛行機の全備重量５００キログラムから１５００キログラムと設定した。
本装置重量が２００キログラムを超えるため、想定される最大級の強風でも、不当移動することはない。
機体全備重量が更に大きくなれば、これに対応した強度、大型化を図れば、容易に適合出来る。
【図面の簡単な説明】
【０００６】
【図１】小型飛行機、風向風速感知自動方向変換繋留装置  回転円盤基礎部  基礎一体円周レール、平面図・側面図・断面図
【図２】小型飛行機、風向風速感知自動方向変換繋留装置  回転円盤  天盤  平面図・側面図
【図３】小型飛行機、風向風速感知自動方向変換繋留装置  回転円盤骨組図  平面図・断面図
【図４】  小型飛行機風向風速感知自動方向変換繋留装置  断面詳細図  図１及び図２の回転円盤システム詳細断面図、スムーズな回転を得るため、センターブロックにボールベアリング及びスラストベアリングを採用した。また図２の外周に図１のレール上下を挟んで、負荷上部ローラと、図１、図２の分離防止とギャプアジャスターを兼ねた下部ローラを夫々８箇所取り付けた。この組み合わせにより、図１と図２は分離しない。更にスムーズな円回転を得るため、上部ローラガード背部にテーパを施し、ローラを適度内側に傾かせた。
【０００７】
【図５】風向風速感知自動ブレーキ開閉装置  断面詳細図。
【図６】小型飛行機風向風速感知自動方向変換繋留装置  断面姿図。
【図７】風向風速感知自動ブレーキ開閉装置  断面姿図。最良の感風圧を得るためポールを伸縮調整自在とした。
【図８】実用平面図。飛行機繋留後登坂板は折りたたむ。
【図９】実用側面図。
【符号の説明】
【０００８】          １  風感知球ポール
２  ポールジョイント
３  ブレーキ開閉ワイヤー調整ガード
４  ブレーキ開閉ワイヤー調整ロックナット
５  φ４ブレーキ開閉ワイヤー
６  防塵、Ｏリング
７  防塵スライドカバー
８  ポール垂直保持感風圧調整キャップ
９  φ５ポール垂直保持感風圧調整スプリング
１０  ｔ６ポール垂直保持ブレーキ開閉座金
１１  ブレーキ開閉システムボックス
１２  ブレーキシャフトジョイント
１３  ブレーキ圧調整シャフトガード
１４  ブレーキ圧調整ガードロックナット
１５  ｔ６回転盤天板
１６  φ２０ブレーキシャフト
１７  φ５ブレーキ圧調整スプリング
１８  ｔ７ブレーキパットガイド
１９  ｔ７ブレーキパット
２０  基礎一体円周レール
【図１】
2006298344.tif 000003
【図２】
2006298344.tif 000004
【図３】
2006298344.tif 000005
【図４】
2006298344.tif 000006
【図５】
2006298344.tif 000007
【図６】
2006298344.tif 000008
【図７】
2006298344.tif 000009
【図８】
2006298344.tif 000010
【図９】
2006298344.tif 000011
(57)【要約】【課題】  遠心力の人工重力装置で、居住空間を作る為には、装置を巨大化させないといけない、欠点があった。その欠点を除くのが目的である。【解決手段】  遠心力のかわりに、電磁誘導で強化した向心力で、重力を発生させた。こうすると、小さな空間でも人が居住する人工重力が、発生する。【選択図】      図１
2006298337.tif 000002
【特許請求の範囲】
【請求項１】
電磁誘導を利用した向心力の人工重力装置
【発明の詳細な説明】
【技術分野】
【０００１】  本発明は、電磁誘導により強化された向心力を使用した、人工重力装置である。
【背景技術】
【０００２】  従来、考案された人工重力装置は、遠心力を使用したものであった。
【発明の開示】
【発明が解決しようとする課題】
【０００３】  遠心力の人工重力装置では、人が居住する空間を生み出す為には、装置を巨大化させなければいけなかった。小さな宇宙船内では、使用する事ができなかった。
【課題を解決する為の手段】
【０００４】  本発明は、その欠点を解決する為に考案したものである。遠心力で重力を発生させるのではなく、電磁誘導で強化された向心力で、人工重力を発生させる。
【発明の効果】
【０００５】  無重力の宇宙空間での滞在が、従来以上に可能になる。小さな宇宙船内でも使用する事が、可能である。
【発明を実施するための最良の形態】
【０００６】  無重力の宇宙空間
【実施例】
【０００７】  磁石板の上に皿を置き、地球の重力を軽減する為に皿の中に水を入れ、アルミボールを浮かべ、皿の中心が渦中になる様に、空気と水を回転させると、向心力が電磁誘導で強化され、水に浮かんでいるアルミボールが渦中に集まる。
【産業上の利用可能性】
【０００８】  宇宙開発や医療や核融合開発の分野
【図面の簡単な説明】
【０００９】
【図１】  本発明の側面透視図
【符号の説明】
【００１０】  １は磁石板
２は皿
３は水
４はアルミボール
５は風車
６はモーター
【図１】
2006298337.tif 000003